(57)【要約】【目的】ノズル機構、トリガー機構及びグリップを備えた噴射装置でありながら低コスト化も可能なエアゾール容器用噴射装置を提供する。【構成】ノズル機構とトリガー機構とグリップとを備え、エアゾール容器が着脱交換可能に取り付けられるエアゾール容器用噴射装置であって、  本体内部には、該本体内部の奥部からエアゾール容器取付方向側に延伸する少なくとも２つの係止部材が配設されており、  該係止部材は、可撓性を有すると共に、前記エアゾール容器のテーパー状肩部の上方で且つバルブ近傍の外周に形成された巻締部の内側に入り込み該巻締部の内周の環状段部に係止する突起爪を有する構成であり、  該係止部材の係止方向の背面側には、該背面に当接することで前記環状段部からの前記突起爪の退避を規制する退避防止部材が配設されており、  該退避防止部材が、前記突起爪の退避規制を解除するために前記係止部材の背面から退避可能な構成である。【選択図】        図１
2009234609.tif 000002
【特許請求の範囲】
【請求項１】
エアゾール容器のバルブに連通するノズル機構と、前記バルブの開閉を操作するトリガー機構と、持ち手となるグリップとを備え、エアゾール容器が着脱交換可能に取り付けられるエアゾール容器用噴射装置であって、
前記エアゾール容器用噴射装置の本体内部には、該本体内部の奥部からエアゾール容器取付方向側に延伸する少なくとも２つの係止部材が配設されており、
該係止部材は、可撓性を有すると共に、前記エアゾール容器のテーパー状肩部の上方で且つバルブ近傍の外周に形成された巻締部の内側に入り込み該巻締部の内周の環状段部に係止する突起爪を有する構成であり、
該係止部材の係止方向の背面側には、該背面に当接することで前記環状段部からの前記突起爪の退避を規制する退避防止部材が配設されており、
該退避防止部材が、前記突起爪の退避規制を解除するために前記係止部材の背面から退避可能な構成であることを特徴とするエアゾール容器用噴射装置。
【請求項２】
前記退避防止部材が、バルブの軸線を中心軸とする回動によって前記係止部材の背面から回動方向に退避することで前記突起爪の退避の規制が解除される構成であることを特徴とする請求項１に記載のエアゾール容器用噴射装置。
【請求項３】
前記退避防止部材が、バルブの軸線方向で且つ前記エアゾール容器から離れる方向への移動によって前記巻締部の内側に入り込んだ前記係止部材の背面から退避することで前記突起爪の退避の規制が解除される構成であることを特徴とする請求項１又は２に記載のエアゾール容器用噴射装置。
【請求項４】
前記退避防止部材が、エアゾール容器用噴射装置の本体の先端部分のノズル外周に取り付けられた部材である係止操作部に接続され、該係止操作部を操作することで前記退避防止部材による前記突起爪の退避の規制及び退避の規制解除を行う構成であることを特徴とする請求項１〜３のいずれかに記載のエアゾール容器用噴射装置。
【請求項５】
前記退避防止部材の背面と前記エアゾール容器のバルブ根元部分との間に、前記退避防止部材による前記突起爪の退避規制時に前記バルブ根元部分に少なくとも一部が当接することで前記退避防止部材の位置ズレや位置ブレの如き位置移動を防止する退避防止補助部が配設された構成であることを特徴とする請求項１〜４のいずれかに記載のエアゾール容器用噴射装置。
【請求項６】
前記退避防止補助部が、前記退避防止部材の背面に有する構成であることを特徴とする請求項５に記載のエアゾール容器用噴射装置。
【請求項７】
前記退避防止補助部が、前記退避防止部材とは別体構成であり、且つ該退避防止部材の前記回動又は移動に伴うことなく前記係止部材の背面側であって前記バルブ根元部分に少なくとも一部が当接する位置に配設される構成であることを特徴とする請求項５に記載のエアゾール容器用噴射装置。
【発明の詳細な説明】
【技術分野】
【０００１】
本発明はエアゾール容器用噴射装置に関し、グリップを握持した状態でトリガーを引くことで着脱交換可能に取り付けられるエアゾール容器の内容物を噴射する形式に用いられるエアゾール容器用噴射装置に関する。
【背景技術】
【０００２】
従来から、整髪料等の化粧品、消臭剤、冷却剤、殺虫剤、塗料、洗浄剤等を噴射するには、これらの液体・溶液・溶剤等をエアゾール容器に充填し、該エアゾール容器のバルブを開閉操作することにより該バルブに連通したノズル機構から噴射することで行われている。
【０００３】
バルブの開閉操作としては、一般的なエアゾール容器では該エアゾール容器のバルブ先端に被冠状態で取り付けられたノズル付きのキャップ体を押下することで行われる構成が広く知られている（例えば、特許文献１等参照）。
【０００４】
また、バルブの開閉操作としては、ノズル付きのキャップ体の押下に換えてバルブに連通する構成のノズル機構を操作するトリガーを備え、グリップを握持した状態で前記トリガーに引っ掛けた人差し指を引き絞る操作をすることで行われる構成も知られている（例えば、特許文献２〜５等参照）。
【０００５】
【特許文献１】特許第３０４９４２４号
【特許文献２】特開２００１−３１５８７２号
【特許文献３】特開２００７−０２２６５９号
【特許文献４】特許第３９５９４４２号
【特許文献５】特許第３８９７５８９号
【発明の開示】
【発明が解決しようとする課題】
【０００６】
特許文献１の技術では、簡単な構造によりエアゾール容器の内容物の噴射が可能であり広く普及しているが、内容物の種類や容量等によって異なる大きさのエアゾール容器を人差し指を除いた４本の指で若干不安定な状態で持ち、バルブに内蔵されたスプリングを付勢力に抗して圧縮させながらノズル付きの小さなキャップ体を人差し指一本の指先のみで強く押下する必要があることから操作性が低く、指先の力が乏しい使用者の場合、噴射操作が困難であるだけでなく、押下時の力みによって噴射方向が不安定となってしまったり、キャップ体から指先がずれることで噴射物に触れてしまう等の問題を有している。
【０００７】
この点、特許文献２〜５の技術では、特許文献１が抱えていた操作性の問題は解決されており、安定した握持状態で、より小さな力で容易に内容物の噴射が可能となっている。
【０００８】
しかしこれらの技術では、エアゾール容器に取り付けられた噴射構成部分、即ち、ノズル機構、トリガー機構、グリップ及びこれらの機構を備えた噴射装置の本体構成が、特許文献１のような単なるノズル付きの小さなキャップ体とは異なり、多数の構成部品から成る大型の機構となるためコスト高であるという問題点を有している。
【０００９】
そこで本発明の課題は、より小さな力で容易に内容物の噴射が安定した握持状態で可能な構成である、ノズル機構、トリガー機構及びグリップを備えた噴射装置でありながら低コスト化も可能なエアゾール容器用噴射装置を提供することにある。
【課題を解決するための手段】
【００１０】
上記課題を解決する本発明は、下記構成を有する。
【００１１】
１．エアゾール容器のバルブに連通するノズル機構と、前記バルブの開閉を操作するトリガー機構と、持ち手となるグリップとを備え、エアゾール容器が着脱交換可能に取り付けられるエアゾール容器用噴射装置であって、
前記エアゾール容器用噴射装置の本体内部には、該本体内部の奥部からエアゾール容器取付方向側に延伸する少なくとも２つの係止部材が配設されており、
該係止部材は、可撓性を有すると共に、前記エアゾール容器のテーパー状肩部の上方で且つバルブ近傍の外周に形成された巻締部の内側に入り込み該巻締部の内周の環状段部に係止する突起爪を有する構成であり、
該係止部材の係止方向の背面側には、該背面に当接することで前記環状段部からの前記突起爪の退避を規制する退避防止部材が配設されており、
該退避防止部材が、前記突起爪の退避規制を解除するために前記係止部材の背面から退避可能な構成であることを特徴とするエアゾール容器用噴射装置。
【００１２】
２．前記退避防止部材が、バルブの軸線を中心軸とする回動によって前記係止部材の背面から回動方向に退避することで前記突起爪の退避の規制が解除される構成であることを特徴とする上記１に記載のエアゾール容器用噴射装置。
【００１３】
３．前記退避防止部材が、バルブの軸線方向で且つ前記エアゾール容器から離れる方向への移動によって前記巻締部の内側に入り込んだ前記係止部材の背面から退避することで前記突起爪の退避の規制が解除される構成であることを特徴とする上記１又は２に記載のエアゾール容器用噴射装置。
【００１４】
４．前記退避防止部材が、エアゾール容器用噴射装置の本体の先端部分のノズル外周に取り付けられた部材である係止操作部に接続され、該係止操作部を操作することで前記退避防止部材による前記突起爪の退避の規制及び退避の規制解除を行う構成であることを特徴とする上記１〜３のいずれかに記載のエアゾール容器用噴射装置。
【００１５】
５．前記退避防止部材の背面と前記エアゾール容器のバルブ根元部分との間に、前記退避防止部材による前記突起爪の退避規制時に前記バルブ根元部分に少なくとも一部が当接することで前記退避防止部材の位置ズレや位置ブレの如き位置移動を防止する退避防止補助部が配設された構成であることを特徴とする上記１〜４のいずれかに記載のエアゾール容器用噴射装置。
【００１６】
６．前記退避防止補助部が、前記退避防止部材の背面に有する構成であることを特徴とする上記５に記載のエアゾール容器用噴射装置。
【００１７】
７．前記退避防止補助部が、前記退避防止部材とは別体構成であり、且つ該退避防止部材の前記回動又は移動に伴うことなく前記係止部材の背面側であって前記バルブ根元部分に少なくとも一部が当接する位置に配設される構成であることを特徴とする上記５に記載のエアゾール容器用噴射装置。
【発明の効果】
【００１８】
請求項１に示す発明によれば、より小さな力で容易に内容物の噴射が安定した握持状態で可能な構成である、ノズル機構、トリガー機構及びグリップを備えた噴射装置でありながら高コスト化を招く恐れがないエアゾール容器用噴射装置を提供することができる。即ち、エアゾール容器が着脱交換可能に取り付けられる構成によれば、エアゾール容器が空になった場合や他の内容物の噴射の際に他のエアゾール容器を極めて容易に取り付けて噴射を行うことによって、高コスト要因である噴射装置自体を多数回に亘って使い回すことができるので、高コスト化を解消することができる。
【００１９】
特に、エアゾール容器の着脱交換の際には、該エアゾール容器のテーパー状肩部の上方で且つバルブ近傍の外周に形成された巻締部の内側に入り込み該巻締部の内周の環状段部に係止する突起爪を有する係止部材の背面に当接する退避防止部材を、係止部材の背面から退避させることで、前記環状段部からの前記突起爪の退避規制が解除されるので、前記エアゾール容器を噴射装置本体から取り外す際には前記可撓性を有する係止爪を係止していた前記環状段部から容易に外すことができる。
【００２０】
請求項２に示す発明によれば、退避防止部材をバルブ軸線を中心軸とする回動によって、係止部材の背面から退避させて突起爪の退避規制を解除することができるので、エアゾール容器の係止を解除することができる。
【００２１】
請求項３に示す発明によれば、退避防止部材をバルブ軸線方向でエアゾール容器から離れる方向への移動によって、係止部材の背面から退避させて突起爪の退避規制を解除することができるので、エアゾール容器の係止を解除することができる。
【００２２】
請求項４に示す発明によれば、エアゾール容器用噴射装置の本体の先端部分の係止操作部を操作することで係止部材の背面から退避防止部材を退避させて突起爪の退避規制を解除することができるので、エアゾール容器の係止を解除することができる。
【００２３】
請求項５に示す発明によれば、退避防止部材の位置ズレや位置ブレの如き位置移動を防止する退避防止補助部により、係止部材の突起爪の退避を確実に規制することができる。
【００２４】
請求項６に示す発明によれば、退避防止補助部が退避防止部材の背面に一体構成又は別体構成で配設ないし取り付けられた構成なので、係止部材の突起爪の退避を確実に規制することができる。
【００２５】
請求項７に示す発明によれば、退避防止補助部が係止部材の背面側であって前記バルブ根元部分に少なくとも一部が当接する位置に配設される構成なので、退避防止部材が係止部材の背面に位置した際には該係止部材の突起爪の退避を確実に規制することができる。
【発明を実施するための最良の形態】
【００２６】
以下、本発明に係るエアゾール容器用噴射装置を詳細に説明する。
【００２７】
図１は本発明に係るエアゾール容器用噴射装置の一実施例の退避規制状態を示す概略右側面図、図２は同正面図、図３は同左側面図、図４は図１の退避規制を解除した状態を示す概略右側面図、図５はエアゾール容器を取り付けた状態の一例を示す部分切欠正面図、図６の（Ａ１）〜（Ａ３）は図５のＡ−Ａ線部分のＶＩ−ＶＩ線断面における巻締部・環状段部、係止部材・突起爪、退避防止部材・退避防止補助部の構成例を示す概略説明断面図、並びに図６の（Ｂ１）〜（Ｂ３）は（Ａ１）〜（Ｂ３）の各々のＢ−Ｂ線部分の概略説明断面図、図７の（Ａ１）〜（Ａ３）は図５のＡ−Ａ線部分のＶＩ−ＶＩ線断面における巻締部・環状段部、係止部材・突起爪、退避防止部材・退避防止補助部の他の構成例を示す概略説明断面図、並びに図７の（Ｂ１）〜（Ｂ３）は（Ａ１）〜（Ａ３）の各々のＢ−Ｂ線部分の概略説明断面図、図８の（Ａ１）〜（Ａ３）は図５のＡ−Ａ線部分のＶＩ−ＶＩ線断面における巻締部・環状段部、係止部材・突起爪、退避防止部材・退避防止補助部の更に他の構成例を示す概略説明断面図、並びに図８の（Ｂ１）〜（Ｂ３）は（Ａ１）〜（Ａ３）の各々のＢ−Ｂ線部分の概略説明断面図、図９は図６の（Ｂ１）〜（Ｂ３）と同じ部分における図１０の概略説明断面図、図１０は係止操作部の他の実施例を示す正面図、である。
【００２８】
図１〜図５に示すように、本発明に係るエアゾール容器用噴射装置（以下、単に噴射装置ということもある。）１は、エアゾール容器２のバルブ２０に連通するノズル機構１０と、前記バルブ２０の開閉を操作するトリガー機構１１と、持ち手となるグリップ１２とを備え、エアゾール容器２が図２及び図５に示すように着脱交換可能に取り付けられる構成を有する。図１及び図４において符号１０Ａはエアゾール容器２のバルブ２０が連通状態で接続されるバルブ連通部である。
【００２９】
尚、ノズル機構１０、トリガー機構１１、グリップ１２の各構成及び形状並びに作用については、この種の噴射装置のノズル機構、トリガー機構、グリップとして公知公用のものを特別の制限なく採ることができ、更に、これらの材質、並びに噴射装置１の本体１３及び他の構成部材の材質についても、この種の噴射装置の材質として公知公用の材質（特に好ましくはポリエチレン、ポリプロピレン等に代表される可撓性合成樹脂）を用いることができる。
【００３０】
前記エアゾール容器用噴射装置１の本体１３の内部１３Ａには、該内部１３Ａの奥部からエアゾール容器２の取付方向側に延伸する少なくとも２つの係止部材１４・１４が配設されている。図１及び図４に示すように、係止部材１４・１４は本体１３の内部１３Ａに係止部材支持部１４Ａ・１４Ａを介して取り付けられている。
【００３１】
係止部材１４は、可撓性を有すると共に、図５及び図６に示すように前記エアゾール容器２のテーパー状肩部２１の上方で且つバルブ２０近傍の外周に形成された巻締部２２の内側に入り込み該巻締部２２の内周の環状段部２３に係止する突起爪１５を有する。
【００３２】
尚、「エアゾール容器２のテーパー状肩部２１の上方に」の「上方」とは、エアゾール容器２の通常の取扱時の状態、即ち、非使用時等の通常の姿勢である縦置きした場合における「上方」を云うものであり、本発明のように噴射装置１に対して横向き状態に取り付けられる場合には上方ではなくなることは云うまでもない。
【００３３】
係止部材１４の係止方向の背面側には、該背面に当接することで前記環状段部２３からの前記突起爪１５の退避を規制する退避防止部材１６が配設されており、該退避防止部材１６が、前記突起爪１５の退避規制を解除するために前記係止部材１４の背面から退避可能な構成となっている。
【００３４】
以下、係止部材１４及び突起爪１５並びに退避防止部材１６の環状段部２３への作用構成について説明する。
【００３５】
先ず、エアゾール容器用噴射装置１の本体１３にエアゾール容器２が取り付けられた状態では、図６の（Ａ１）及び（Ｂ１）に示すように、係止部材１４・１４は、巻締部２２の内側に入り込み該巻締部２２の内周の環状段部２３に突起爪１５・１５が係止された状態となっている。
【００３６】
更に、係止部材１４・１４の係止方向の背面側には、退避防止部材１６・１６が前記係止部材１４・１４の夫々の背面に当接することで前記環状段部２３からの前記突起爪１５・１５の退避を規制している。尚、前述した図１は係止部材１４・１４の背面に退避防止部材１６・１６が当接した状態で且つエアゾール容器２を未装着とした状態の本体１３の内部１３Ａの構成を示している。
【００３７】
従って、この状態ではエアゾール容器２はエアゾール容器用噴射装置１の本体１３に強固に且つ確実に取り付けられた状態となっており脱落することがない。
【００３８】
退避防止部材１６・１６による係止部材１４・１４の退避規制をより強固且つ確実にするために、該退避防止部材１６・１６の背面と前記エアゾール容器２のバルブ根元部分２４との間に退避防止補助部１８・１８を配設することが好ましい。退避防止補助部１８・１８を配設することで、該退避防止補助部１８・１８の存在により前記退避防止部材１８・１８が夫々の背面方向であるバルブ根元部分２４方向へ動いてしまうことが無くなるので、前記係止部材１４・１４の退避を強固且つ確実に規制することが可能となる。
【００３９】
退避防止補助部１８・１８は、前記退避防止部材１６・１６による前記突起爪１５・１５の退避規制時に前記バルブ根元部分２４に少なくとも一部が当接することで前記退避防止部材１６・１６の位置ズレや位置ブレの如き位置移動を防止するために配設されるもので、図６（Ａ１）及び（Ｂ１）に示すように、前記退避防止部材１６の背面に該退避防止部材１６と一体的に形成されていることが好ましい。
【００４０】
次に、エアゾール容器用噴射装置１の本体１３からエアゾール容器２を取り外す場合では、図６の（Ａ２）及び（Ｂ２）に示すように、係止部材１４・１４の背面から退避防止部材１６・１６を退避させることで環状段部２３に係止している突起爪１５・１５の退避規制を解除する。
【００４１】
退避防止部材１６・１６の係止部材１４・１４の背面からの退避構成としては、該退避防止部材１６・１６を、バルブ２０の軸線を中心軸とする回動によって前記係止部材１４・１４の背面から回動方向に退避する構成を好ましく挙げることができる。
【００４２】
退避防止部材１６・１６の回動構成としては、エアゾール容器用噴射装置１の本体１３の先端部分のノズルの外周に取り付けられた部材である係止操作部１７に図５に示すように退避防止部材接続部１７Ａ等を介することで本体１３の内部１３Ａで接続し、該係止操作部１７を本体１３の外部から操作することで行う構成とすることが好ましい。該係止係止操作部１７は、回動操作時に滑らないように凹凸からなる滑り止め部１７Ｃが形成されていることが好ましい。尚、該滑り止め部１７Ｃは凹凸に限らず梨地処理であってもよいし、ゴム等の摩擦係数の高い部材を付加する等して形成されていてもよい。
【００４３】
係止部材１４・１４の背面から退避防止部材１６・１６が退避して環状段部２３に係止している突起爪１５・１５の退避規制が解除された状態になった後、エアゾール容器２を本体１３から引き抜くと、図６の（Ａ３）及び（Ｂ３）に示すように、係止部材１４・１４が有する可撓性によって該係止部材１４・１４が撓んで突起爪１５・１５が環状段部２３を乗り越えるようにして係止が外れることになる。この係止のハズレによって、エアゾール容器２をエアゾール容器用噴射器１の本体１３から容易に取り外すことが可能となる。
【００４４】
エアゾール容器２を取り外した状態のエアゾール容器用噴射器１の本体１３の内部１３Ａの状態は、右側面図である図４に示すようになっている。図４において符号１７Ｂは係止操作部取付部であり、該係止操作部取付部１７Ｂを本体１３の係止操作部被取付溝１３Ｂに遊動可能に取り付けることで係止操作部１７を本体１３に取り付けることができると共に、該係止操作部１７を操作することで退避防止部材１６・１６による係止部材１４・１４の規制及び規制解除を操作することができる。
【００４５】
尚、係止操作部１７の操作による規制及び規制解除の状態を外部から容易に判別できるように、図２、図３及び図５に示すように、係止操作部１７に係止状態確認矢符１７Ｄを付し、本体１３に係止案内表示（ＬＯＣＫ）１７Ｅ及び係止案内表示（ＯＰＥＮ）１７Ｆを付すことが好ましい。
【００４６】
以上、本発明に係るエアゾール容器用噴射装置の一実施例について説明したが、本発明は上記実施例に限定されず、本発明の技術的範囲内において他の態様を採ることができる。
【００４７】
例えば、上記実施例では、退避防止補助部１８が退避防止部材１６の背面に一体的に形成された構成となっているが、該退避補助部材１６は退避防止部材１６と別体構成であってもよいし、図７に示すように退避防止補助部１８は無くてもよい。この場合、退避防止部材１６が該退避防止部材１６に係止部材１４の力が加わっても退避規制できる剛性を有することが好ましい。また、該退避防止部材１６が退避防止補助部１８を背面に有する場合と同様の厚みで形成された構成であってもよい。
【００４８】
また、図８に示すように、退避防止補助部１８は前記退避防止部材１６とは別体構成であり、且つ該退避防止部材１６の退避に伴うことなく前記係止部材１４の背面側であって前記バルブ根元部分２０に少なくとも一部が当接する位置に配設される構成であってもよい。
【００４９】
即ち、この構成の場合、退避防止部材１６が係止部材１４の背面に当接する位置にあって該突起爪１５の退避を規制している状態｛図８の（Ａ１）及び（Ｂ１）の状態｝にのみ退避防止補助部１８が退避防止部材１６の背面に位置する構成であり、退避規制の解除の状態｛図８の（Ａ２）及び（Ｂ２）の状態｝では、退避防止部材１６の回動に伴わずに元の位置に留まったままとなる構成である。退避防止補助部１８が元の位置に留まったままであっても退避防止部材１６が係止部材１４の背面から退避した状態であれば係止部材１４の背面には退避可能な間隙が生じるので、図８の（Ａ３）及び（Ｂ３）に示すように該係止部材１４・１４が撓んで突起爪１５・１５が環状段部２３を乗り越えるようにして係止が外れることになる。
【００５０】
更に、上記実施例では、退避防止部材１６がバルブ２０の軸線を中心軸とする回動によって前記係止部材１４の背面から回動方向に退避する構成となっているが、図９及び図１０に示すように、退避防止部材１６が、バルブ２０の軸線方向で且つ装着したエアゾール容器２から離れる方向への移動によって前記係止部材１４の背面から退避することで前記突起爪１５の退避の規制が解除される構成とすることもできる。
【００５１】
即ち、この構成の場合、退避防止部材１６が係止部材１４の背面に当接する位置にあって該突起爪１５の退避を規制している状態｛図９の（Ｂ１）の状態｝から、退避防止部材１６をエアゾール容器２から離れる方向に移動することで係止部材１４の背面から退避した状態｛図９の（Ｂ２）の状態｝となり、図９の（Ｂ３）に示すように該係止部材１４・１４が撓んで突起爪１５・１５が環状段部２３を乗り越えるようにして係止が外れることになる。
【００５２】
図９に示す態様における退避防止部材１６の移動構成としては、例えば、図１０に示すように、係止操作部１７をバルブ２０の軸線方向で且つ装着したエアゾール容器２から離れる方向へ引き抜くように操作することで行う構成とすることが好ましい。
【００５３】
更にまた、退避防止部材１６の係止部材１４の背面からの退避は、回動方向への回動とバルブ２０の軸線方向への移動の両者の組み合わせであってもよく、この場合、退避防止部材１６が螺旋状態に移動することによって係止部材１４の背面から退避した状態となることで、環状段部２３への突起爪１５の係止を外れることになる。
【図面の簡単な説明】
【００５４】
【図１】本発明に係るエアゾール容器用噴射装置の一実施例の退避規制状態を示す概略右側面図
【図２】同正面図
【図３】同左側面図
【図４】図１の退避規制を解除した状態を示す概略右側面図
【図５】エアゾール容器を取り付けた状態の一例を示す部分切欠正面図
【図６】（Ａ１）〜（Ａ３）は図５のＡ−Ａ線部分のＶＩ−ＶＩ線断面における巻締部・環状段部、係止部材・突起爪、退避防止部材・退避防止補助部の構成例を示す概略説明断面図、（Ｂ１）〜（Ｂ３）は（Ａ１）〜（Ａ３）の各々のＢ−Ｂ線部分の概略説明断面図
【図７】（Ａ１）〜（Ａ３）は図５のＡ−Ａ線部分のＶＩ−ＶＩ線断面における巻締部・環状段部、係止部材・突起爪、退避防止部材・退避防止補助部の他の構成例を示す概略説明断面図、（Ｂ１）〜（Ｂ３）は（Ａ１）〜（Ａ３）の各々のＢ−Ｂ線部分の概略説明断面図
【図８】（Ａ１）〜（Ａ３）は図５のＡ−Ａ線部分のＶＩ−ＶＩ線断面における巻締部・環状段部、係止部材・突起爪、退避防止部材・退避防止補助部の更に他の構成例を示す概略説明断面図、（Ｂ１）〜（Ｂ３）は（Ａ１）〜（Ａ３）の各々のＢ−Ｂ線部分の概略説明断面図
【図９】図６の（Ｂ１）〜（Ｂ３）と同じ部分における図１０の概略説明断面図
【図１０】係止操作部の他の実施例を示す正面図
【符号の説明】
【００５５】
１  エアゾール容器用噴射装置
１０  ノズル機構
１０Ａ  バルブ連通部
１１  トリガー機構
１２  グリップ
１３  本体
１３Ａ  本体内部
１３Ｂ  係止操作部被取付溝
１４  係止部材
１４Ａ  係止部材支持部
１５  突起爪
１６  退避防止部材
１７  係止操作部
１７Ａ  退避防止部材接続部
１７Ｂ  係止操作部取付部
１７Ｃ  滑り止め部
１７Ｄ  係止状態確認矢符
１７Ｅ  係止案内表示（ＬＯＣＫ）
１７Ｆ  係止案内表示（ＯＰＥＮ）
１８  退避防止補助部
２  エアゾール容器
２０  バルブ
２１  テーパー状肩部
２２  巻締部
２３  環状段部
２４  バルブ根元部分  
【図１】
2009234609.tif 000003
【図２】
2009234609.tif 000004
【図３】
2009234609.tif 000005
【図４】
2009234609.tif 000006
【図５】
2009234609.tif 000007
【図６】
2009234609.tif 000008
【図７】
2009234609.tif 000009
【図８】
2009234609.tif 000010
【図９】
2009234609.tif 000011
【図１０】
2009234609.tif 000012